(57)【特許請求の範囲】
【請求項１】
負極および正極を具備する発電要素が密閉形電池用パッケージに収容封止され、かつ、前記負極および前記正極にそれぞれ接続された一対の端子が前記密閉形電池用パッケージの外部に引き出された密閉形電池と、前記各端子にそれぞれ接合されているとともに他の機器に対して電気的に接続可能な接続端子を備える略箱形状の制御部とを有し、
略扁平形状となるように、前記密閉形電池および前記制御部が相互配置された電池パックであって、
少なくとも扁平厚さ方向両面にそれぞれ金属板が配置され、
前記各金属板のうちの一方から他方に延びる保護シートを有し、前記保護シートに前記密閉形電池および前記制御部の側面が被覆されていることを特徴とする電池パック。
【発明の詳細な説明】
【０００１】
【発明の属する技術分野】
本発明は、電池パックに係り、特に密閉形電池に接続部が接続されるとともに他の機器に対して電気的に接続可能な接続端子を備える略箱型形状の制御部を有し、略扁平状となるように密閉形電池および制御部が相互配置された電池パックに関する。
【０００２】
【従来の技術】
近年、電子技術の大きな進歩により、一般ユーザー向けの携帯用電子機器の小型軽量化が進んでいる。そして、電池に対しても小型軽量化の要求が高まっているため電池パックが多用されている。一例として、この電池パックを携帯電話に使用する場合、図６に示すように、携帯電話60の収納部60Ａに電池パック70を収納することにより、電池パック70の各接続端子81，82，83を携帯電話60の各接続端子61，62，63に接続する。これにより、電池パック70を携帯電話60の電源とすることができる。
【０００３】
以下、電池パック70について図７に基づいて説明する。電池パック70は、密閉形電池71と、この密閉形電池71に接続された接続部80と、密閉形電池71および接続部80間に配置された保護回路部85とを備え、これらの密閉形電池71，接続部80および保護回路部85が深皿状のカバー部本体86に収容され、このカバー部本体86の開口86Ａが蓋部87で閉塞されている。そして、図６に示すように、この電池パック70を携帯電話60の収容部60Ａに収容すると、蓋部87が携帯電話60の外形状の一部となる。
【０００４】
しかし、この電池パック70は、カバー部本体86と蓋部87とが樹脂製なので、その強度を確保するためには、肉厚寸法を一定以上にしなければならず、小型化および薄型化に限界があった。また、携帯電話60の形状、大きさに合わせて電池パック70を製造する必要がある、すなわち、電池パック70に内蔵されている密閉形電池71そのものも、その都度形状の異なるものを製造する必要があり、密閉形電池71の汎用性が低くなるという問題があった。
【０００５】
そのため、最近は、図８に示すように、カバー部本体を省略し、携帯電話60と一体化させた密閉形電池および制御部91を、携帯電話60の収容部60Ａに収容して、蓋部92により収容部60Ａを覆う構造の電池パック90が提案されている。
【０００６】
この電池パック90によれば、予め一定以下の大きさに密閉形電池および制御部91を作っておけば、汎用性が得られるようになる。また、カバー部本体がなく、密閉形電池および制御部91と、蓋部92だけで構成されているので、小型化および薄型化を図ることができる。
【０００７】
【発明が解決しようとする課題】
しかしながら、従来の電池パック90は、密閉形電池および制御部91が露出されているので、密閉形電池および制御部91の扁平厚さ方向両面91Ａ，91Ｂに対して鋭利な突起物等が衝突したり、密閉形電池および制御部91を落下させたりすると、密閉形電池用パッケージが破れる虞れがあった。
【０００８】
本発明は、前述した問題点に鑑みてなされたものであり、その目的は、小型化および薄型化が可能であると共に、鋭利な突起物が衝突したり、落下させたりした場合でも、密閉形電池用パッケージが破れるのを防止できる電池パックを提供することにある。
【０００９】
【課題を解決するための手段】
本発明は、負極および正極を具備する発電要素が密閉形電池用パッケージに収容封止され、かつ、前記負極および前記正極にそれぞれ接続された一対の端子が前記密閉形電池用パッケージの外部に引き出された密閉形電池と、前記各端子にそれぞれ接合されているとともに他の機器に対して電気的に接続可能な接続端子を備える略箱形状の制御部とを有し、略扁平形状となるように、前記密閉形電池および前記制御部が相互配置された電池パックであって、少なくとも扁平厚さ方向両面にそれぞれ金属板が配置されていることを特徴としている。
【００１０】
本発明によれば、電池パックの扁平厚さ方向両面に金属板が配置されているので、この金属板が保護手段となり、電池パックに突起物が衝突したり、電池パックを落下させたりした場合でも、電池パックの密閉形電池用パッケージが破れるのを防止できると共に、金属板は樹脂と同一の強度を得るためにその肉厚を薄くできるので、電池パックの小型化および薄型化が可能になる。
【００１１】
また、本発明においては、前記各金属板に粘着剤が設けられているため、金属板を電池パックに取り付けるのが容易になる。さらに、本発明においては、前記各金属板のうちの一方から他方に延びる保護シートを有し、前記保護シートに前記密閉形電池および前記制御部の側面が被覆されているため、金属板と電池パックの相互固定が可能になると共に、電池パックの側面を保護シートによって保護できる。
【００１２】
そして、本発明においては、前記各金属板のうちの一方から他方に延びる側面板を有しているため、この側面板で電池パックの側面保護が可能になる。また、本発明においては、前記各金属板間の余剰空間に充填材が充填されているため、金属板と電池パックとの間のガタ付きをなくすことができる。
【００１３】
【発明の実施の形態】
以下、本発明に係る電池パックの実施の形態について、図面を参照して詳細に説明する。図１に示すように、本発明の第１実施形態の電池パック１0は、負極および正極を具備する発電要素が密閉形電池用パッケージに収容封止され、かつ、負極および正極にそれぞれ接続された一対の端子が密閉形電池用パッケージの外部に引き出された密閉形電池11と、この密閉形電池11の各端子にそれぞれ接続されていると共に他の機器に対して電気的に接続可能な接続端子14を備えている略箱形状の制御部13とを有している。
【００１４】
密閉形電池11および制御部13は、略扁平形状となるように相互配置されている。これらの密閉形電池11および制御部13には、その扁平厚さ方向両面11Ａ，11Ｂ（図２）にそれぞれ金属板としての下側ケース12Ａおよび上側ケース12Ｂが配置されている。
【００１５】
この第１実施形態では、図２に示すように、密閉形電池11および制御部13が、ケース12に収容されている。このケース12は容器状の上側ケース12Ａと、平板状の下側ケース12Ｂとで構成されている。上側ケース12Ａは、四角形の底板12Ｃと、その４辺から略直角に立ち上げられた側面板12Ｄとを有している。各ケース12Ａ，12Ｂは、薄金属板材のプレス成形によって形成されたもので、例えばアルミニウム合金板材，ステンレス板材，マグネシウム合金板材等が用いられ、その板材の厚さは0.2〜0.3mm程度となっている。
【００１６】
そして、密閉形電池11および制御部13を上側ケース12Ａ内に収容した状態で、上側ケース12Ａと下側ケース12Ｂとを、上側ケース12Ａおよび下側ケース12Ｂの内面に取り付けられた粘着剤としての両面接着テープ16（片側のみ図示）で密閉形電池11および制御部13に固定し、密封形電池11および制御部13をケース12内に収容するようになっている。ケース12の下側ケース12Ｂには、制御部13に付いている端子板14の一部をケース12の表面に表出するために、端子窓15が開口されている。この端子窓15は、予め下側ケース12Ｂに設けられている。
【００１７】
また、図１に示すように、密閉形電池11および制御部13を収容した上側ケース12Ａの内面に沿った余剰空間（隙間）には、シリコン剤17が充填され、これにより、電池パック10落下時に制御部13に実装されている電子部品（図示せず）の破損を防止するようになっている。外装絶縁被覆シート18は、樹脂フィルムシートであり、接着剤を介してケース12に接着されている。この外装絶縁被覆シート18の厚さは0.05〜0.08mmであり、図３に示すように、ケース12の上側ケース12Ａの底面および側面と、下側ケース12Ｂの端子窓15の幅を除いた両側部分を被覆している。なお、外装絶縁被覆シート18に代えて、絶縁性のないシートを使用することもできる。
【００１８】
このように、本発明によれば、略扁平形状に形成された密閉形電池11および制御部13において、その扁平厚さ方向両面11Ａ，11Ｂにそれぞれ金属板である上側ケース12Ａおよび下側ケース12Ｂが配置されているので、電池パック10の扁平厚さ方向両面に鋭角な突起物が衝突したり、電池パック10を落下させたような場合でも、上側ケース12Ａおよび下側ケース12Ｂによって保護されるため、密閉形電池11の電池用パッケージが破れるのを防止できる。また、上側ケース12Ａおよび下側ケース12Ｂが金属製なので、従来の樹脂性のケースと同一強度を得るために、その肉厚を薄くできるので、電池パック10の小型化および薄型化が可能になる。
【００１９】
前述した第１実施形態では、下側ケース12Ａを容器状として、密閉形電池11および制御部13の側面を完全に被覆するようにしたが、図４に示す電池パック20（第２実施形態）のように、密閉形電池11および制御部13の扁平厚さ方向両面11Ａ，11Ｂのみを、平板状の金属板21Ａ，21Ｂで覆い、側面を全体的にあけることもできる。この場合、外装絶縁被覆シート18によって、密閉形電池11および制御部13の側面保護と、金属板21Ａ，21Ｂの相互固定がなされる。この電池パック20も、密閉形電池11の保護が可能であると共に、小型化および薄型化が可能である。
【００２０】
図５は、第３実施形態の電池パック30を示す。この電池パック30は、密閉形電池11および制御部13の扁平厚さ方向両面11Ａ，11Ｂを保護するため、上側金属ケース31Ａと下側金属板31Ｂとを有している。上側金属ケース31Ａは、四角形の底板31Ｃと、この底板31Ｃの対向する２端縁から略直角に立ち上げられた２つの側面板31Ｄ，31Ｄとを有し、他の２側面は空いている。また、下側金属板31Ｂは平板状である。そして、空いている方の２側面は、外装絶縁被覆シート18によって保護されるようになっている。この電池パック30も、発電要素11および制御部13の保護、小型化および薄型化が可能である。
【００２１】
その他、前述した各実施形態において例示した発電要素，密閉形電池用パッケージ，端子，密閉形電池，制御部，金属板，粘着剤，保護シート，側面板，充填材は本発明を達成できるものであれば任意であり、限定されない。
【００２２】
【発明の効果】
以上説明したように、本発明によれば、電池パックの扁平厚さ方向両面に金属板が配置されているので、この金属板が保護手段となり、電池パックに突起物が衝突したり、電池パックを落下させたりした場合でも、密閉形電池用パッケージが破れるのを防止できると共に、金属板は樹脂と同一の強度を得るためにその肉厚を薄くできるので、電池パック全体の小型化および薄型化が可能になる。
【００２３】
また、本発明によれば、各金属板に粘着剤を設けたので、金属板を電池パックに取り付けるのが容易になる。さらに、本発明によれば、各金属板のうちの一方から他方に延びる保護シートを設け、この保護シートによって密閉形電池および制御部の側面を被覆したので、金属板と電池パックの相互固定が可能になると共に、電池パックの側面を保護シートによって保護できる。
【００２４】
そして、本発明によれば、各金属板のうちの一方から他方に延びる側面板を設けた場合には、この側面板で電池パックの側面保護が可能になるので、さらに保護機能を向上できる。また、本発明によれば、各金属板間の余剰空間に充填材を充填したので、金属板と電池パックとの間のガタ付きをなくすことができ、電池パックを落下した場合でも、内部の密閉形電池および制御部を保護できる。
【図面の簡単な説明】
【図１】本発明の第１実施形態の電池パックを示す断面図である。
【図２】本発明の第１実施形態の電池パックを示す分解斜視図である。
【図３】本発明の第１実施形態の電池パックを示す外観図である。
【図４】本発明の第２実施形態の電池パックを示す分解斜視図である。
【図５】本発明の第３実施形態の電池パックを示す分解斜視図である。
【図６】一般的な携帯電話および電池パックを示す斜視図である。
【図７】従来の電池パックを示す分解斜視図である。
【図８】従来の電池パックの別の例を示す斜視図である。
【符号の説明】
10，20，30  電池パック
11  密閉形電池
12Ａ  上側ケース（金属板）
12Ｂ  下側ケース（金属板）
12Ｄ，31Ｄ  側面板
13  制御部
14  接続端子
16  両面接着テープ（粘着剤）
18  外装絶縁被覆シート（保護シート）
21Ａ，21Ｂ  金属板
31Ａ  上側金属ケース（金属板）
31Ｂ  下側金属板
【図１】
0003815550.tif 000002
【図２】
0003815550.tif 000003
【図３】
0003815550.tif 000004
【図４】
0003815550.tif 000005
【図５】
0003815550.tif 000006
【図６】
0003815550.tif 000007
【図７】
0003815550.tif 000008
【図８】
0003815550.tif 000009